(57)【要約】【課題】蒲団押さえを、それの竿または手摺りに掛けた蒲団の折り返し部に対する装着が、持続的な大きな力を要することなく、簡単な操作により行えるようにする。【解決手段】２本の水平な方向のアーム３とアーム４とを、直列に突き合わせて、突き合わせ部にそれぞれ設けた回動軸部５ａと回動軸部５ｂとを組み合わせた回動連結部５により、これらアーム３・４の長手方向と直交する方向の軸心線をもって互いに回動するよう連結し、これら２本のアーム３・４の回動端側に、前記軸心線に沿う方向の押さえ込み部材１・１を、それぞれ装設し、回動連結部５の一方の回動軸部５ｂに押さえ込み部材２を前記押さえ込み部材１・１と並列させて装設し、回動連結部５に、それの一方の回動軸部５ａが他方の回動軸部５ｂに対して、前記軸心線中心の回動を一方向だけに許容する逆転阻止手段Ｓを組み込む。【選択図】        図２１
2004229707.tif 000002
【特許請求の範囲】
【請求項１】
２本の水平な方向のアーム３とアーム４とを、直列に突き合わせて、それらの突き合わせ部にそれぞれ設けた回動軸部５ａと回動軸部５ｂとを組み合わせた回動連結部５により、正面視においてこれらアーム３・４の長手方向と直交する方向の軸心線をもって互いに回動するよう連結し、これら２本のアーム３・４の回動端側に、前記軸心線に沿う方向の押さえ込み部材１・１を、それぞれ装設し、回動連結部５の一方の回動軸部５ｂに前記軸線に沿う方向の押さえ込み部材２を前記押さえ込み部材１・１と並列させて装設し、回動連結部５に、それの一方の回動軸部５ａが他方の回動軸部５ｂに対して、前記軸心線中心の回動を一方向だけに許容する逆転阻止手段Ｓを組み込んだことを特徴とする蒲団押さえ。
【請求項２】
２本のアーム３・４を長・短に形成して、一方のアーム３に対し他方のアーム４を１８０度回動させたときに、一方のアーム３の回動端部に装設した押さえ込み部材１と他方のアーム４の回動端部に装設した押さえ込み部材１とが、近接して並列する状態に折り畳まれるようにしたことを特徴とする請求項１記載の蒲団押さえ。
【請求項３】
回動連結部５に組み込む逆転阻止手段Ｓを、一方の回動軸部５ａに取り付ける板バネ８と、他方の回動軸部５ｂに、前記板バネ８の先端縁の回動軌跡に対応するよう装設する合成樹脂材よりなるリング状の壁面とで構成することを特徴とする請求項１記載の蒲団押さえ。
【発明の詳細な説明】
【０００１】
【発明が属する技術分野】
本発明は、物干竿またはベランダの手摺りなどに蒲団を掛けて陽に干すときに、その蒲団が、物干竿または手摺りからずり落ちることがないように、蒲団を物干竿または手摺りに押さえ付けておくように用いる蒲団押さえについての改良に関する。
【０００２】
【従来の技術】
従前の蒲団押さえＡは、例えば、図１にあるように、一対に対向する２本のレバーａ・ｂが連結軸ｃにより開閉自在の鋏状に連結して、そのレバーａとレバーｂとの間で連結軸ｃに寄る部位に、それらレバーａとレバーｂとを互いに近寄せる方向に作用するバネｄを介装して、この一対のレバーａ・ｂの回動端部が閉じ合わされるように付勢しておいて、この一対のレバーａ・ｂの回動端部に蒲団Ｆを押さえ込む押圧部ｅ・ｅをそれぞれ形設しておくことで構成してあって、竿Ｐまたは手摺りに掛けた蒲団Ｆを押さえ付けるように使用するときには、一対のレバーａ・ｂを、左右の手でそれぞれ握って、バネｄの付勢に抗して開放回動させ、この状態において、図２にあるように、開いた一対のレバーａ・ｂの間隔部を蒲団Ｆの折り返し部の外面側に上方から挿し込んでいき、その挿し込みが終えたところで、レバーａ・ｂを握っていた手を放し、一対のレバーａ・ｂの回動端部に設けた押圧部ｅと押圧部ｅとが、バネｄの付勢により閉じ合わされるようになることで蒲団Ｆの折り返し部の外面を挟み込んで竿Ｐまたは手摺りに押さえ付けるようにする。
【０００３】
【発明が解決しようとする課題】
上述の従前の蒲団押さえは、竿または手摺りに掛けた蒲団を押さえ付けることについては、それなりに機能するが、使用の際に、一対のレバーａ・ｂを両手の掌でそれぞれ握って開放回動させた状態に保持するのに、かなりの力を要し、一対のレバーａ・ｂを開いた状態に保持して竿Ｐまたは手摺りに掛けた蒲団Ｆの折り返し部に嵌挿していく操作が厄介な問題がある。
【０００４】
本発明は、従来手段に生じているこの問題を解消するためになされたものであって、蒲団押さえを、それの竿または手摺りに掛けた蒲団の折り返し部に対する装着が、持続的な大きな力を要することなく、簡単な操作により行えるようにすることを目的とするものである。
【０００５】
【課題を解決するための手段】
そして、本発明においては、上述の目的を達成するための手段として、２本の水平な方向のアーム３とアーム４とを、直列に突き合わせて、それらの突き合わせ部にそれぞれ設けた回動軸部５ａと回動軸部５ｂとを組み合わせた回動連結部５により、正面視においてこれらアーム３・４の長手方向と直交する方向の軸心線をもって互いに回動するよう連結し、これら２本のアーム３・４の回動端側に、前記軸心線に沿う方向の押さえ込み部材１・１を、それぞれ装設し、回動連結部５の一方の回動軸部５ｂに前記軸心線に沿う方向の押さえ込み部材２を前記押さえ込み部材１・１と並列させて装設し、回動連結部５に、それの一方の回動軸部５ａが他方の回動軸部５ｂに対して、前記軸心線中心の回動を一方向だけに許容する逆転阻止手段Ｓを組み込んだことを特徴とする蒲団押さえを提起し、また、これに併せて、２本のアーム３・４を長・短に形成して、一方のアーム３に対し他方のアーム４を１８０度回動させたときに、一方のアーム３の回動端部に装設した押さえ込み部材１と他方のアーム４の回動端部に装設した押さえ込み部材１とが、近接して並列する状態に折り畳まれるようにしたことを特徴とする請求項１記載の蒲団押さえする手段および、回動連結部５に組み込む逆転阻止手段Ｓを、一方の回動軸部５ａに取り付ける板バネ８と、他方の回動軸部５ｂに、前記板バネ８の先端縁の回動軌跡に対応するよう装設する合成樹脂材よりなるリング状の壁面とで構成することを特徴とする請求項１記載の蒲団押さえ手段を提起するものである。
【０００６】
【発明の実施の形態】
次に本発明手段の実施の態様を、実施例につき図面に従い説明する。
本発明手段による蒲団押さえＡは、基本的には、図３および図４に示しているように、竿またはベランダの手摺りＴに陽干しのために掛けた蒲団Ｆの折り返し部ｆに対し、それを一方の側から押さえ込む押さえ込み部材１と、他方の側から押さえ込む押さえ込み部材２と、これらを垂下状態に支持して上下方向の回動軸線をもって互いに回動するよう回動連結部５により連結する２本のアーム３・４と、それらアーム３・４の回動連結部５に組み込む逆転阻止手段Ｓとで構成する。
【０００７】
回動連結部５により互いに回動するように連結する２本のアーム３・４は、棒状または平らな帯板状など適宜の形状に形成してよく、図示する例にあっては、肉厚の帯板状に形成している。
【０００８】
この２本のアーム３・４は、金属材または合成樹脂材で成形するなど適宜の資材により成形してよく、また、その長さも適宜に設定してよい。この図示する例においては、一方のアーム３の長さは略１０ｃｍで、他方のアーム４にあっては略８ｃｍと、長短に形成している。これは蒲団押さえＡを使用しないときに図５にあるように回動連結部５による回動で二つ折りに折り畳んだ状態とすることで、容積を小さくして、コンパクトに保管維持するためのものであり、この折り畳んだ状態時に、アーム３・４の回動端側にそれぞれ設けた押さえ込み部材１と押さえ込み部材１とが近接して並列するよう、押さえ込み部材１の径に対応する分だけ一方のアーム４の長さを短くしている。
【０００９】
この２本のアーム３・４の各回動端部および回動連結部５に垂下するように設ける押さえ込み部材１・２は、各アーム３・４の回動端部に設ける押さえ込み部材１・１にあっては、図４にあるように、竿または手摺りＴに掛けた蒲団Ｆの折り返し部位ｆに対し、それの手前側（建物側）に当接して蒲団Ｆを手摺りＴに向け押し付けていくための部材であるが、この押さえ込み部材１を蒲団Ｆに押し付けていくときの操作部を兼ねたものとなっている。
【００１０】
このため、この押さえ込み部材１・１は、この例においては、金属材のパイプを用いた中空の丸棒状に形成してあって、それの上端側を、それぞれのアーム３・４の回動端部の下面側に、図６にあるよう止着ネジ１０または熔接により一体的に連結して、各アーム３・４から垂下するようにしてある。
【００１１】
また、アーム３とアーム４との回動連結部５の下面側に設ける押さえ込み部材２は、前述の図４にあるように、竿Ｐまたは手摺りＴに掛けた蒲団Ｆの折り返し部ｆに対し表側（建物と反対側）から当接して、蒲団Ｆを手摺りＴに向け押し返し、前述の手前側に当接する押さえ込み部材１・２とで、蒲団Ｆの折り返し部を挟み込むようにするためのもので、一対のアーム３・４のうちの一方のアーム４に固定状態に取り付ける。
【００１２】
この回動連結部５に設ける押さえ込み部材２の取り付けは、２本のアーム３・４のうちの何れでもよいが、この例においては、短いアーム４に対し固定して垂設してある。そして、他方のアームとなる長い側のアーム３の回動端部は、この一方のアーム４に固定装着した円柱状の押さえ込み部材２に対し同軸で自在回動するよう軸着・連結する。
【００１３】
この一組のアーム３とアーム４との回動連結部５に組み込む逆転阻止手段Ｓは、図３・図４に示す例において、左側に位置するアーム３を基準とした場合に、回動端部に押さえ込み部材１を垂設した他方のアーム４が、回動連結部５を中心に左回りに自由に回転し右回りには回転が阻止される、いわゆるワンウエイクラッチ状に構成する。図７は左回りにした場合である。
【００１４】
これには、図７にあるように、周面に噛み合い歯部を設けた爪車６０とそれの歯部に噛み合わすラチエット爪６１とそれを噛い方向に回動させるバネ６２とで、通常のワンウエイクラッチに構成し、それの爪車６０を図９にあるように一方のアーム４の回動軸部５ｂに固定装着し、ラチエット爪６１を他方のアーム３に支軸６１０により回動自在に軸支し、バネ６２により爪車６０の歯部と噛み合う方向に付勢しておくことでもよいが、この例においては、図１０および図１１にあるように、一方のアーム３に設ける回動軸部５ａには、内周面に鋸歯状の噛み合い歯を周方向に間欠的に設けた設けたリング状の内歯ギヤ７０を設けるとともに、その回動軸部５ａの蓋板の下面側に、下方に突出する銛状の嵌合部７１を装設しておき、他方のアーム４の回動軸部５ｂには、そこに設けた中空の押さえ込み部材２の上端部に、図１２・図１３にあるように、前記一方のアーム３の回動軸部５ａ内に嵌入する軸筒部７２を設けて、それの外周面に、前記一方のアーム３に設けたリング状の内歯ギヤ７０の内周面の噛み合い歯と噛み合う噛み合い歯７３を形設し、かつ、この他方のアーム４に設けた中空の押さえ込み部材２の内腔には、前述の一方のアーム３の回動軸部５ａに設けた銛状の嵌合部７１の外周面と密に嵌合するとともに、それの鈎部７１０と係合する係合段部７４を下端側に設けた肉厚の筒部を形設しておいて、一方のアーム３の銛状の嵌合部７１を他方のアーム４の回動軸部５ｂ内に挿入して嵌め合わせることで、嵌合部７１と肉厚の筒部との嵌合で回動自在に連結し、嵌合部７１の鈎部７１０と係合段部７４との係合で脱出が阻止された状態となって、内歯ギヤ７０の噛み合い歯と軸筒部７２の外周に設けた噛み合い歯との噛み合いにより、左側の一方のアーム３は右側の他方のアーム４に対し右回りの回動、右側の他方のアーム４は一方のアーム３に対し左回りの回動となる一方向だけの回動が許容され、逆方向には回動が阻止されるようにしている。
【００１５】
次に、図１４乃至図２４は、別の実施例を示している。この例は、前述の例が押さえ込み部材１・１・２および一組のアーム３・４並びにそれらを回動軸部５ａと回動軸部５ｂとで回転自在に連結する回動連結部５を、金属材で成形しているのに対し、これらを合成樹脂材により成形している例である。
【００１６】
この例においては、一方のアーム３とそれの回動端側に垂設する押さえ込み部材１とそのアーム３の回動中心側に設ける回動連結部５を組み立てる回動軸部５ａとが、図２１にあるように、合成樹脂材により一つの型で連続した態様に成形され、また他方ののアーム４とそれの回動端側に垂設する押さえ込み部材１とそのアーム４の回動中心側に設ける回動連結部５を組み立てるための回動軸部５ｂおよびそれの下面側に垂設する押さえ込み部材２とが、合成樹脂材により一つの型で連続して成形され、都合、２つの型で成形されるようにしてある。
【００１７】
そして、押さえ込み部材１・１および押さえ込み部材２は、外径が略２２φで上下高さが略１５０ミリに成形され、また、アーム３およびアーム４は、長い左側のアーム３が略２００ミリ、短い右側のアーム４が略１８０ミリで、それぞれ略１０ミリの厚さの平盤状に成形してある。
【００１８】
また、一方のアーム３の回動中心部に設ける回動軸部５ａは、図２２にあるように下方に開放するキャップ状に形成したボディ５０の内腔の軸心部位小径の皿状の熱圧カシメ部５１を成形し、それの外周側にボディ５０の周壁よりも下方に垂下する筒体５２を一体に成形し、かつ、その筒体５２の下端側の外周には、ラチエット爪とする板バネ８の取付台５３を、図２３にあるように一対に対称させて形成し、それに、図２３において右方に示しているよう平面視においてＬ字形に成形した板バネ８の装着用の割溝５４を形成しておく。
【００１９】
他方のアーム４の回動中心部に設けた回動軸部５ｂには、上方に開放する上向きのキャップ状に形成したボディ５０の中心側に、前述の回動軸部５ａに形成した筒体５２の内腔に密に嵌合してその筒体５２に対し回転自在となる有底の袋状の軸筒５６を一体に連続させて成形して、それの天井部に、前述の回動軸部５ａに設けた皿状の熱圧カシメ部５１を嵌合させる透孔５７を形設しておき、この回動軸部５ｂを、それのボディ５０の周壁と前記回動軸部５ａのボディ５０の周壁とを突き合わせて、回動連結部５に組み立てるときに、軸筒５６の天板部に設けた透孔５７に嵌合してくる熱圧カシメ部５１を、回動軸部５ｂの下方に連続する押さえ込み部材２の内腔を経て挿入する工具により加熱して押し拡げるこよで、軸筒５６が筒体５２に対し自在に回転する状態として、回動軸部５ａと回動軸部５ｂとを連結するようカシメ付ける。
【００２０】
この回動軸部５ａと回動軸部５ｂを組み付けるとき、回動軸部５ａの筒体５２の下端側の外周に形設した取付台５３には、それに設けた割溝５４に、別にバネ板から成形しておく金属材または合成樹脂材よりなる板バネ８を嵌挿して組み付け、これにより、回動軸部５ａと回動軸部５ｂとを図１９にあるよう組み合わせて回動連結部５に組み立てる。
【００２１】
１１は、押さえ込み部材１・２の各下端の開口端縁が、蒲団Ｆに接触して傷めることを防止するために、ゴム材または合成樹脂材により別に成形して押さえ込み部材１・２の各下端にキャップ状に嵌挿した保護キャップである。この保護キャップ１１は、押さえ込み部材１・２の各下縁部を円弧状に成形しておくことで省略する場合がある。
【００２２】
しかして、この例における逆転阻止手段Ｓは、前述の回動軸部５ａの筒体５２の下端の周面に設けた取付台５３に装着した板バネ８の先端側が、回動軸部５ｂのボディ５５の周壁の内面に当接することで、図２０において、板バネ８を取り付けた筒体５２が細線の矢印で示す右回りに回転するときには、殆ど抵抗なく回転し、逆に、筒体５２が二重線の矢印で示している左回りに回転するときには、板バネ８の先端縁が樹脂材で成形されている回動軸部５ｂのボディ５５の周壁の内面に突き刺さるようになって、その回転を阻止して、ワンウエイクラッチを構成するようにしている。
【００２３】
従って、この合成樹脂材で成形した実施例では、爪車６０もラチエット爪６１も必要がなく、板バネ８を組み付けるだけでよいものとなる。なお、回動軸部５ｂのボディ５５の周壁の内面には、板バネ８の先端８０・８０と喰い合う上下方向の細溝または突条を、周方向に並列させて設けておく場合があり、有効である。
【００２４】
次に図２５乃至図３４は、さらに別の実施例を示している。
この例は、前述の図１４乃至図２４に示した例の変形例であり、一対のアーム３・４およびそれらの回動端側に垂設する押さえ込み部材１・１およびそれらの回動軸心側に、回動連結部５を構成するように設ける回動軸部５ａ・５ｂおよび回動連結部５に垂設する押さえ込み部材２らを、合成樹脂材で成形することについては、前述の例と変わりないが、回動軸部５ａと回動軸部５ｂとを互いに回転自在に連結して回動連結部５に組み立てるための結合手段と、一方の回動軸部５ａにラチエット爪状に組み付けて、それの先端縁を、他方の回動軸部５ｂに形成する合成樹脂材のリング状の周壁に対向させる板バネ８を、２つのバネ板が一本に連続する形態とした点において差異のあるものである。
【００２５】
この例における回動軸部５ａ・５ｂは、上面側に位置する回動軸部５ａにあっては、図２９にあるように、それのボディ５０を、それの内腔の中心部位に筒体５２を具備するキャップ状に成形するが、この筒体５２は、それの上端側を、ボディ５０の天板の上方に開口５２０として開放させ、そのボディ５０の天板の上面側に形設しておく円形の凹溝５８と連通させておく。
【００２６】
そして、この筒体５２の筒壁の下端側には、板バネ８を嵌装するためのその板バネ８の板厚に対応する溝巾の割溝５４を、図３３にあるように、筒体５２の筒壁を横切って、一対に対称するように形設しておく。
【００２７】
また、他方の回動軸部５ｂは、図３０にあるように、上向きの浅いカップ状に成形して、それのボディ５５の周壁５５０を、前述の回動軸部５ａのボディ５０の周壁５００の内側に重合して嵌合するように形成して、これにより、回動軸部５ａと回動軸部５ｂとを組み合わせたときに、図３５にあるように、この回動軸部５ｂのボディ５５の周壁５５０の外面と回動軸部５ａの周壁５００の内面との嵌合面の摺動により回動軸部５ａに対し回動軸部５ｂが自在に回転するようにするが、このボディ５５の周壁５５０には、それの内壁面に、図３３にあるよう、前述の回動軸部５ａの筒体５２の筒壁に設けた割溝５４・５４と対向する部位に、凹み５５１・５５１をそれぞれ設けておく。
【００２８】
このボディ５０の周壁５００の内面の、筒体５２に設ける凹部５５１・５５１は、筒体５２の筒壁に設けた割溝５４・５４に板バネ８の長手方向の中間部を嵌め込んで板バネ８の組付けを行なうときに、その板バネ８の組付作業を容易にするためのものである。
【００２９】
即ち、板バネ８の組付けは、回動軸部５ａと回動軸部５ｂとを、それらに設けた凹部５５１・５５１と割溝５４・５４とが、図３３にあるように放射方向において略揃う状態に位置合わせをしておいて、回動軸部５ａの筒体５２の割溝５４・５４に、板バネ８の長手方向の中間部を差し込み、両端が筒体５２の筒壁の外面から突出する状態とし、その状態から、その突出する板バネ８の両端を、それぞれ回動軸部５ｂのボディ５０の周壁５００の内面の凹部５５１・５５１に嵌入させながら、回動軸部５ａと回動軸部５ｂとを嵌合させて、回動連結部５に組立る。
【００３０】
これにより板バネ８は、それの両端側が、図３４にあるように、凹部５５１・５５１内の自由空間に、何処にも接触しない状態となって組付けられることになり、板バネ８の組付けが、すこぶる容易なものとなる。
【００３１】
この組付けられた板バネ８は、それの両端の先端縁８０・８０が、ボディ５０の周壁５００の内面である凹部５５１・５５１の底面に対して、接触しないか、殆ど接触しない状態となるので、逆転阻止の機能はなく、板バネ８の先端縁８０・８０がこの凹部５５１・５５１内に位置している範囲内においては、回動軸部５ａと回動軸部５ｂとは、互いに、左回り、右回りの何れの方向にも自由に回動する。
【００３２】
そして、回動軸部５ａに対し例えば、図３３において回動軸部５ａを回動軸部５ｂに対しさらに回動させることで、図３６にあるように、板バネ８の両端部が屈曲しながら凹部５５１・５５１からのり出して、先端縁８０・８０が、ボディ５０の周壁５００の、凹部５５１と凹部５５１との間における内壁面に接する状態となったところで、逆方向の回転を阻止するよう機能する状態となる。
【００３３】
従って、図３４に示す状態位置からの回動軸部５ａの回動軸部５ｂに対する右回りの回動は、板バネ８の先端縁８０・８０が凹部５５１内に嵌入していく略１８０度回転した位置までを、逆転を阻止する状態で回動し、そこで、先端縁８０・８０が凹部５５１内に落ち込んで逆転阻止の機能をなくし、その位置からの略１８０度の回動を逆転を阻止する状態で行い、３６０度回転したところで、図３４に示す状態に戻るようになる。
【００３４】
また、この回動軸部５ｂは、それの内腔の底面の中心部位に、前述の回動軸部５ａに設けた筒体５２の内径に対応する口径の開口５９を開設して、この回動軸部５ａの下方に連続して成形される押さえ込み部材２の内腔に連通させておく。
【００３５】
そして、これにより、回動軸部５ａと回動軸部５ｂとを上下に嵌め合わせた状態のところに、図３１にあるよう、金属材または合成樹脂材により、中心部位に割溝９０を形設した銛状の連結軸９を、開口５２０から挿し込むことで、その連結軸９の先端の銛状の係止部９１が、回動軸部５ｂの底壁の開口５９の口縁に係合して、図３５にあるように回動軸部５ａと回動軸部５ｂとが、互いに回動する状態として結合するようにしている。
【００３６】
また、板バネ８は、図３２にあるよう一対の先端縁８０・８０が対称して存在するようにクランク状またはＳ字形に成形しておき、この板バネ８を、回動軸部５ａと回動軸部５ｂとを連結軸９により連結する前に、回動軸部５ａの筒体５２の筒壁に設けた割溝５４・５４に、図３４にあるように嵌め込んで装着しておき、この状態において、前述の連結軸９を嵌挿する。
【００３７】
このとき、連結軸９は、それに形成した割溝９０が、クランク状またはＳ字状の板バネ８の、筒体５２の内腔を横切る部位に嵌合していくように位置あわせを行って嵌挿する、これにより、板バネ８は連結軸９によっても保持されるようになり、板バネ８の一対の先端縁８０・８０が、図３６に示しているように嵌合してくる回動軸部５ｂのボディ５０の周壁５５０の内壁面に対して、その内壁面に形設した凹部５５１と凹部５５１との間において、それぞれ所定の角度で摺接して、板バネ８と合成樹脂材によりなる回動軸部５ｂのボディ５５の周壁５５０の内壁面とで、ワンウエイクラッチを構成するようにしてある。
【００３８】
このように構成する本発明手段による蒲団押さえは、回動連結部５により屈曲回動自在に連結する２本のアーム３・４を、それらの回動端側に設けた押さえ込み部材・を持って、回動が許容された方向に回動させ、平面視においてＶ字形をなす状態とし、それらの回動端側に設けた押さえ込み部材１・１と回動連結部５に設けた押さえ込み部材２との間隔が、竿Ｐまたは手摺りＴに掛けた蒲団Ｆの折り返し部ｆの厚さより広くなるようにしておいて、これを折り返し部ｆに図Ａにあるように上から挿し込み、この状態において、押さえ込み部材１・１を蒲団Ｆに向け押し込んでいけば、２本のアーム３・４のなすＶ字形の角度が浅くなって、押さえ込み部材１・１と押さえ込み部材２との間隔が狭くなり、蒲団Ｆの折り返し部ｆは、押さえ込み部材１・１と押さえ込み部材２とで、両側から挟み付けられて竿または手摺りＴに狭着される状態となり、この状態が回動連結部５に組み込んだ逆転阻止手段Ｓで保持されるようになる。
【００３９】
従って、持続的な強力な腕力を要さずに、簡単な操作で蒲団Ｆを竿または手摺りＴに狭着できるようになる。
【００４０】
また、蒲団Ｆの陽干しが終えて、取り込むときは、蒲団押さえＡを、上方に抜き上げれば、押さえ込み部材１・１および押さえ込み部材２が、蒲団Ｆの表面生地を滑って上方に動くことで、簡単に取り外せる。
【００４１】
この取り外しの操作のために、図５・図６において鎖線に示しているように、把持部ｇを設けておくことは有効である。
【００４２】
また、逆転阻止手段Ｓを、ラチエット爪６１を爪車６０とでワンウエイクラッチ機構に組み立てた場合のように、噛み合いがかたい場合には、例えば、ラチエット爪６１または爪車６０を、非噛み合い位置に抜き上げ自在にするなどで、解除手段を設けるようにしてよい。これにより、蒲団Ｆの陽干しが終えたときの取込の際の蒲団押さえＡの取り外しが殆ど力を要さずに行えるようになる。
【００４３】
【発明の効果】
以上説明したように、本発明手段による蒲団押さえは、それの竿または手摺りに掛けた蒲団の折り返し部を、挟み付けるように蒲団押さえを装着していく操作が、持続的な大きな力を要さずに、簡単に行えるようになる。
【図面の簡単な説明】
【図１】従前の蒲団押さえの正面図である。
【図２】同上の使用の際の説明図である。
【図３】本発明手段を実施せる蒲団押さえの使用途上時の斜視図である。
【図４】同上蒲団押さえの使用状態時の斜視図である。
【図５】同上蒲団押さえの折り畳んだ状態の正面図である。
【図６】同上蒲団押さえの一部破断した正面図である。
【図７】同上蒲団押さえの回動連結部の横断面図である。
【図８】同上蒲団押さえの一方のアームに連結する回動軸部の底面図である。
【図９】同上蒲団押さえの他方のアームに連結する回動軸部の平面図である。
【図１０】同上蒲団押さえの別の実施例の一方のアームに連結する回動軸部の底面図である。
【図１１】同上実施例の同上回動軸部の縦断正面図である。
【図１２】同上実施例の他方のアームに連結する回動軸部の縦断正面図である。
【図１３】同上実施例の同上回動軸部の平面図である。
【図１４】同上蒲団押さえのさらに別の実施例の全体の平面図である。
【図１５】同上正面図である。
【図１６】同上の底面図である。
【図１７】同上の左側面図である。
【図１８】同上の他方のアームの回動軸部の平面図である。
【図１９】同上回動連結部の縦断正面図である。
【図２０】同上の回動連結部の一部破断した底面図である。
【図２１】同上の蒲団押さえの組み立て前の状態における正面図である。
【図２２】同上の蒲団押さえの一方のアームに連結した回動軸部の縦断正面図である。
【図２３】同上の同上回動軸部の底面図である。
【図２４】同上の他方のアームに連結した回動軸部の縦断正面図である。
【図２５】同上蒲団押さえのさらに別の実施例の底面図である。
【図２６】同上実施例の正面図である。
【図２７】同上実施例の平面図である。
【図２８】同上の左側面図である。
【図２９】同上の一方のアームに連結する回動軸部の縦断面図である。
【図３０】同上の他方のアームに連結する回動軸部の縦断面図である。
【図３１】同上に用いる連結軸の斜視図である。
【図３２】同上の用いる板バネの斜視図である。
【図３３】同上の一方のアームに連結する回動軸部の底面図である。
【図３４】同上の回動軸部の板バネを組み付けた状態の底面図である。
【図３５】同上の回動連結部の縦断正面図である。
【図３６】同上の回動連結部の板バネがワンウエイクラッチを構成している状態の説明図である。
【符号の説明】
Ａ…蒲団押さえ、Ｆ…蒲団、Ｓ…逆転阻止手段、Ｔ…手摺り、Ｐ…竿、ａ・ｂ…レバー、ｃ…連結軸、ｄ…バネ、ｅ…押圧部、ｆ…折り返し部、ｇ…把持部、１・２…押さえ込み部材、１０…止着ネジ、１１…保護キャップ、３・４…アーム、５…回動連結部、５ａ・５ｂ…回動軸部、５０…ボディ、５００…周壁、５１…熱圧カシメ部、５２…筒体、５２０…開口、５３…取付台、５４…割溝、５５…ボディ、５５０…周壁、５５１…凹部、５６…軸筒、５７…透孔、５８…凹溝、５９…開口、６０…爪車、６１…ラチエット爪、６１０…支軸、６２…バネ、７０…内歯ギヤ、７１…嵌合部、７１０…鈎部、７２…軸筒部、７３…噛み合い部、７４…係合段部、７５…透孔、８…板バネ、８０…先端縁、９…連結軸、９０…割溝、９１…係止部。
【図１】
2004229707.tif 000003
【図２】
2004229707.tif 000004
【図３】
2004229707.tif 000005
【図４】
2004229707.tif 000006
【図５】
2004229707.tif 000007
【図６】
2004229707.tif 000008
【図７】
2004229707.tif 000009
【図８】
2004229707.tif 000010
【図９】
2004229707.tif 000011
【図１０】
2004229707.tif 000012
【図１１】
2004229707.tif 000013
【図１２】
2004229707.tif 000014
【図１３】
2004229707.tif 000015
【図１４】
2004229707.tif 000016
【図１５】
2004229707.tif 000017
【図１６】
2004229707.tif 000018
【図１７】
2004229707.tif 000019
【図１８】
2004229707.tif 000020
【図１９】
2004229707.tif 000021
【図２０】
2004229707.tif 000022
【図２１】
2004229707.tif 000023
【図２２】
2004229707.tif 000024
【図２３】
2004229707.tif 000025
【図２４】
2004229707.tif 000026
【図２５】
2004229707.tif 000027
【図２６】
2004229707.tif 000028
【図２７】
2004229707.tif 000029
【図２８】
2004229707.tif 000030
【図２９】
2004229707.tif 000031
【図３０】
2004229707.tif 000032
【図３１】
2004229707.tif 000033
【図３２】
2004229707.tif 000034
【図３３】
2004229707.tif 000035
【図３４】
2004229707.tif 000036
【図３５】
2004229707.tif 000037
【図３６】
2004229707.tif 000038